Podtech/llm-jp-corpus-v4-ja_patent huggingface dataset:
【手続補正書】
【提出日】平成21年4月30日(2009.4.30)
【手続補正１】
【補正対象書類名】特許請求の範囲
【補正対象項目名】全文
【補正方法】変更
【補正の内容】
【特許請求の範囲】
【請求項１】
複数の遊技球が打ち込まれ、当該打ち込まれた複数の遊技球が流下可能な遊技領域と、
前記遊技球の流下方向について最下流側に形成され、前記遊技領域に打ち込まれた遊技球を排出する排出口と、
前記排出口に向けて流下する遊技球の流下態様を不規則に変化させる流下態様変化手段と、
前記遊技領域を流下する遊技球を対象として受け入れ可能な受入口と、
前記受入口としての、前記遊技領域を流下する複数の遊技球を対象として前記流下態様変化手段によって一球ずつ受け入れ可能な第一受入口及び、当該第一受入口よりも遊技球の受け入れ頻度が少ない第二受入口と、
所定の遊技態様を表示する第一の遊技態様表示手段と、
所定の遊技態様を表示する第二の遊技態様表示手段と、
所定の演出を表示可能な演出表示手段と、
前記第一受入口に受け入れられたことを検出する第一受入検出手段、
前記第一受入検出手段による遊技球の検出に基づいて抽選を行う第一抽選手段、
前記第一の遊技態様表示手段において所定の遊技態様で表示を行い、前記第一抽選手段による抽選結果を導出する第一の遊技態様表示制御手段、
前記第一抽選手段による抽選または／および抽選結果の導出を保留する第一保留手段、
前記第二受入口に受け入れられたことを検出する第二受入検出手段、
前記第二受入検出手段による遊技球の検出に基づいて抽選を行う第二抽選手段、
前記第二の遊技態様表示手段において所定の遊技態様で表示を行い、前記第二抽選手段による抽選結果を導出する第二の遊技態様表示制御手段、
前記第二抽選手段による抽選または／および抽選結果の導出を保留する第二保留手段、
前記第一抽選手段及び前記第二抽選手段による抽選または／および抽選結果に関わることなく、前記所定の演出としての特別演出遊技態様を前記演出表示手段に表示する演出表示制御手段、および
前記第一抽選手段または前記第二抽選手段による抽選において当選したことに応じて、遊技者に所定の遊技価値が付与可能となる大当たり遊技を実行する大当たり遊技実行手段、を少なくとも有する遊技制御手段と、を備え、
前記特別演出遊技態様には、
特定条件の成立に応じて、前記特別演出遊技態様の導出進捗状況が所定の達成上限に近づく態様で蓄積表示される蓄積表示態様と、
前記所定の達成上限まで前記導出進捗状況が蓄積表示されたときに前記蓄積表示態様とは異なる特有の表示となる蓄積特典態様と、が含まれており、
前記特定条件は、前記受入口に遊技球が受け入れられたことに基づいて成立するものであって、
前記演出表示制御手段は、
前記特定条件としての前記受入口に遊技球が受け入れられることのうち、前記第一受入口よりも遊技球の受け入れ頻度が少ない前記第二受入口に遊技球が受け入れられたことに基づいて、前記特別演出遊技態様の導出進捗状況が所定の達成上限に近づく態様を表す蓄積表示態様を前記演出表示手段に表示すると共に、
前記蓄積表示態様における前記導出進捗状況が所定の達成上限に至ったことに基づいて、前記特有の表示となる蓄積特典態様を前記演出表示手段に表示する
ことを特徴とする遊技機。
【請求項２】
前記遊技球の流下方向について前記第一受入口よりも上流側に設けられ、前記遊技領域を流下する複数の遊技球のうち、一部の遊技球のみを、前記排出口に向かう方向とは異なる特定の方向に受け入れる流下球特定受入手段をさらに備え、
前記第二受入口は、前記流下球特定受入手段によって前記特定の方向に受け入れた遊技球を対象として一球ずつ受け入れ可能とすることによって、前記第一受入口よりも遊技球の受け入れ頻度が少なくなるように構成されている
ことを特徴とする請求項１に記載の遊技機。
【請求項３】
前記第二受入口に遊技球が受け入れられたことに基づいて成立する特定条件を第一の特定条件としたとき、前記特定条件には、前記第一の特定条件とは別に、前記導出進捗状況を示す導出進捗値が所定の閾値以上であって且つ前記第一の遊技態様表示制御手段または前記第二の遊技態様表示制御手段によって特定の変動表示が表示されることに基づいて成立する第二の特定条件も含まれており、
前記演出表示制御手段は、
前記第一の特定条件にかかる前記受入口に遊技球が受け入れられたときに、前記導出進捗値が前記所定の達成上限に近づく態様で、前記蓄積表示態様を表示する一方、
前記第一の特定条件よりも成立し難い前記第二の特定条件にかかる前記第一の遊技態様表示制御手段または前記第二の遊技態様表示制御手段によって特定の変動表示を前記第一の遊技態様表示手段または前記第二の遊技態様表示手段において表示するときに、前記導出進捗値が前記所定の達成上限に近づく態様で、前記蓄積表示態様を表示する
ことを特徴とする請求項１または２に記載の遊技機。
【手続補正書】
【提出日】平成21年4月28日(2009.4.28)
【手続補正１】
【補正対象書類名】特許請求の範囲
【補正対象項目名】全文
【補正方法】変更
【補正の内容】
【特許請求の範囲】
【請求項１】
特別入賞口が設けられる第１の遊技領域とその他の第２の遊技領域とに区画形成されてなる遊技領域のうちの前記第１の遊技領域には、前記第２の遊技領域から当該第１の遊技領域内に進入した遊技球が前記特別入賞口へ向かうときの経路となる複数の通路、及び前記複数の通路からそれぞれ遊技球の供給を受ける特別駆動役物が形成されてなり、前記複数の通路から供給される遊技球が前記特別駆動役物を介して前記特別入賞口に受け入れられるとき、遊技者にとって有利な特別遊技を行う遊技機であって、
前記第１の遊技領域内に進入した２つの遊技球が前記複数の通路のうちの異なる通路中を同時に進むとき、それら遊技球が前記特別駆動役物に順次に供給されるように前記同時に進む遊技球の少なくとも１つに作用する順序付け手段と、
前記順序付け手段によって前記特別駆動役物に遊技球が順次に供給されるときの前記特別駆動役物の駆動にかかる制御態様を該当する遊技球の供給元である通路の別に異ならしめる役物駆動手段と、を備え、
前記役物駆動手段による前記特別駆動役物の駆動にかかる制御態様をもって前記同時に進む遊技球の前記特別入賞口への入賞確率を各々該当する遊技球の供給元である通路の別に異ならしめるようにした
ことを特徴とする遊技機。
【請求項２】
前記順序付け手段は、前記複数の通路のうちの異なる通路中を同時に進む遊技球を予め定められた供給順序に従って前記特別駆動役物に順次に供給するものであり、前記役物駆動手段は、前記特別駆動役物の駆動にかかる制御態様として異なる複数の制御態様が規定された役物制御プログラムを備え、これら役物制御プログラムを予め定められた実行順序に従って順次に実行するものである
請求項１に記載の遊技機。
【請求項３】
前記役物駆動手段は、前記特別駆動役物の駆動にかかる制御態様として異なる複数の制御態様が規定された役物制御プログラムと、前記特別駆動役物の駆動制御を行うにあたり、前記特別駆動役物に供給される遊技球が前記複数の通路のいずれを通ったものであるかを判断する判断手段とを備え、該判断手段による判断の結果に応じて前記役物制御プログラムを選択的に実行するものである
請求項１に記載の遊技機。
【手続補正２】
【補正対象書類名】明細書
【補正対象項目名】００１１
【補正方法】変更
【補正の内容】
【００１１】
こうした目的を達成するため、請求項１に記載の発明では、遊技領域を特別入賞口が設けられる第１の遊技領域とその他の第２の遊技領域とに区画形成する役物と、前記第２の遊技領域に打ち込まれた遊技球の前記第１の遊技領域内への進入の確率が高くなるように動作可能な可動片と、前記第２の遊技領域に設けられる始動口に遊技球が受け入れられることに基づいて所定の表示部に表示される特別図柄についての変動表示制御を行うとともに、該変動表示制御に際しては、当該変動表示制御を一旦保留の状態とする変動表示制御手段と、前記保留の状態が解除されることによって行われる前記変動表示制御の結果が前記可動片の動作契機となる小当たりの当選を示すものであるとき、当該変動表示制御に要する変動時間の経過をもって前記可動片の駆動制御を行う駆動制御手段とを備え、前記第２の遊技領域に打ち込まれた遊技球が前記駆動制御手段による前記可動片の駆動制御を通じて前記第１の遊技領域内に進入し、該進入した遊技球が前記特別入賞口に受け入れられるとき、遊技者にとって有利な特別遊技を行う遊技機にあって、前記駆動制御手段を、前記可動片の駆動制御を行うにあたり、当該駆動制御が行われるタイミングを報知するものとした上で、前記保留の状態にある変動表示制御の数である保留数がその最小保留数であるときに前記保留の状態が解除されることによって行われる変動表示制御に要する変動時間をＡ、前記保留数がその最小保留数を除くいくつかの保留数であるときに前記保留の状態が解除されることによって行われる変動表示制御に要する変動時間をＢとするとき、それら変動時間を、「Ａ＜Ｂ」なる関係に設定することを要旨とする。
また、請求項２に記載の発明では、請求項１に記載の遊技機において、前記順序付け手段は、前記複数の通路のうちの異なる通路中を同時に進む遊技球を予め定められた供給順序に従って前記特別駆動役物に順次に供給するものであり、前記役物駆動手段は、前記特別駆動役物の駆動にかかる制御態様として異なる複数の制御態様が規定された役物制御プログラムを備え、これら役物制御プログラムを予め定められた実行順序に従って順次に実行するものであることを要旨とする。
また、請求項３に記載の発明では、請求項１に記載の遊技機において、前記役物駆動手段は、前記特別駆動役物の駆動にかかる制御態様として異なる複数の制御態様が規定された役物制御プログラムと、前記特別駆動役物の駆動制御を行うにあたり、前記特別駆動役物に供給される遊技球が前記複数の通路のいずれを通ったものであるかを判断する判断手段とを備え、該判断手段による判断の結果に応じて前記役物制御プログラムを選択的に実行するものであることを要旨とする。
なお、上記特別遊技とは、いわゆる大当たり遊技のことであり、より具体的には当該特別遊技が行われない状態にあるときよりも遊技者が多くの賞球を獲得可能な遊技のことをいう。この特別遊技は通常、上記開閉部材が一定パターンで開閉される遊技をラウンド遊技とするとき、このラウンド遊技が例えば「１」〜「１６」などの任意の回数だけ繰り返し実行されることによって行われる。
【手続補正書】
【提出日】平成21年4月30日(2009.4.30)
【手続補正１】
【補正対象書類名】特許請求の範囲
【補正対象項目名】全文
【補正方法】変更
【補正の内容】
【特許請求の範囲】
【請求項１】
複数の遊技球が打ち込まれ、当該打ち込まれた複数の遊技球が流下可能な遊技領域と、
前記遊技球の流下方向について最下流側に形成され、前記遊技領域に打ち込まれた遊技球を排出する排出口と、
前記排出口に向けて流下する遊技球の流下態様を不規則に変化させる流下態様変化手段と、
前記遊技領域を流下する複数の遊技球を対象として前記流下態様変化手段によって一球ずつ受け入れ可能な第一受入口と、
前記第一受入口よりも、前記遊技領域に打ち込まれた遊技球の受け入れ頻度が少ない第二受入口と、
所定の遊技態様を表示する第一の遊技態様表示手段と、
所定の遊技態様を表示する第二の遊技態様表示手段と、
所定の演出にかかる情報を表示する演出表示手段と、
遊技領域に向けて打ち込まれた遊技球が前記第一受入口に受け入れられたことを検出する第一受入検出手段、
前記第一受入検出手段による遊技球の検出に応じて抽選を行う第一抽選手段、
前記第一の遊技態様表示手段において所定の遊技態様で表示を行い、前記第一抽選手段による抽選結果を導出する第一の遊技態様表示制御手段、
前記第一抽選手段による抽選または／および抽選結果を、前記第一の遊技態様表示制御手段によって前記第一の遊技態様表示手段に導出することを保留する第一保留手段、
遊技領域に向けて打ち込まれた遊技球が前記第二受入口に受け入れられたことを検出する第二受入検出手段、
前記第二受入検出手段による遊技球の検出に応じて抽選を行う第二抽選手段、
前記第二の遊技態様表示手段において所定の遊技態様で表示を行い、前記第二抽選手段による抽選結果を導出する第二の遊技態様表示制御手段、
前記第二抽選手段による抽選または／および抽選結果を、前記第二の遊技態様表示制御手段によって前記第二の遊技態様表示手段に導出することを保留する第二保留手段、および
前記第一抽選手段または前記第二抽選手段による抽選において当選したことに応じて、遊技者に所定の遊技価値が付与可能となる大当たり遊技を実行する大当たり遊技実行手段、を少なくとも有する遊技制御手段と、を備え、
前記遊技制御手段は、
少なくとも前記第二受入検出手段によって遊技球が検出されたことに応じて当該検出された遊技履歴を蓄積する遊技履歴蓄積手段、
少なくとも前記遊技履歴蓄積手段によって蓄積された遊技履歴を前記演出表示手段に表示する遊技履歴表示制御手段、並びに
前記第一の遊技態様表示制御手段によって前記第一の遊技態様表示手段に表示される遊技態様、および、前記第二の遊技態様表示制御手段によって前記第二の遊技態様表示手段に表示される遊技態様のいずれとも異なる遊技態様であって且つ演出にかかる特別演出遊技態様を、前記第一の遊技態様表示手段、前記第二の遊技態様表示手段または前記演出表示手段に表示する演出表示制御手段をさらに有しており、
前記演出表示制御手段は、前記遊技履歴蓄積手段によって前記所定の上限値まで遊技履歴が蓄積されたときに、前記特別演出遊技態様を表示するものであって、
前記遊技履歴蓄積手段は、前記第一抽選手段または前記第二抽選手段による抽選に当選して前記大当たり遊技実行手段によって大当たり遊技が実行されるとき、当該大当たり遊技が実行されるまでに蓄積した遊技履歴の数を０にすることなくそのまま記憶すると共に、当該大当たり遊技が終了したのち、記憶した遊技履歴から継続して遊技履歴の蓄積を行う
ことを特徴とする遊技機。
【請求項２】
前記遊技領域を流下する遊技球が通過可能な通過口をさらに備えると共に、
前記第二受入口が、前記第一受入口よりも遊技球の受け入れが困難な第１の態様と前記第一受入口よりも遊技球の受け入れが容易な第２の態様とに切り替え可能な第二受入口であって、
前記遊技制御手段は、
遊技領域に向けて打ち込まれた遊技球が前記通過口を通過したことを検出する通過検出手段、
前記通過検出手段による遊技球の検出に応じて抽選を行う第三抽選手段、 
前記第二受入口を、第１の態様と第２の態様とに切り替え可能な第二受入口態様切替実行手段、をさらに有しており、
前記第二受入口は、前記第三抽選手段による抽選において当選した場合にのみ前記第二受入口態様切替実行手段により第１の態様と第２の態様との間で切り替えられることによって、前記第一受入口よりも遊技球の受け入れ頻度が少なくなるように構成されている
ことを特徴とする請求項１に記載の遊技機。
【請求項３】
前記遊技制御手段は、
前記第二受入口について第１の態様から第２の態様への切り替え頻度を高めることによって前記第一受入口よりも前記第二受入口への受け入れが容易となるように前記第三抽選手段による抽選を行う有利遊技を実行可能な有利遊技実行手段、および
前記第二受入口について第１の態様から第２の態様への切り替え頻度を前記有利遊技が実行されている場合における切り替え頻度よりも低くすることによって、前記第一受入口よりも前記第二受入口への受け入れが困難となるように前記第三抽選手段による抽選を行う通常遊技を実行可能な通常遊技実行手段、をさらに有すると共に、
前記遊技履歴蓄積手段は、前記大当たり遊技が終了したのち、記憶した遊技履歴から継続して遊技履歴の蓄積を行うとき、当該大当たり遊技が終了し且つ通常遊技が実行される場合に、記憶した遊技履歴から継続して遊技履歴の蓄積を行う
ことを特徴とする請求項１または２に記載の遊技機。
【手続補正書】
【提出日】平成21年4月28日(2009.4.28)
【手続補正１】
【補正対象書類名】特許請求の範囲
【補正対象項目名】全文
【補正方法】変更
【補正の内容】
【特許請求の範囲】
【請求項１】
複数の遊技球が打ち込まれ、当該打ち込まれた複数の遊技球が流下可能な遊技領域と、
前記遊技球の流下方向について最下流側に形成され、前記遊技領域に打ち込まれた遊技球を排出する排出口と、
前記排出口に向けて流下する遊技球の流下態様を不規則に変化させる流下態様変化手段と、
前記遊技領域を流下する複数の遊技球を対象として前記流下態様変化手段によって一球ずつ受け入れ可能な第一受入口と、
前記第一受入口よりも、前記遊技領域に打ち込まれた遊技球の受け入れ頻度が少ない第二受入口と、
一または複数の図柄を表示可能な第一図柄表示手段および第二図柄表示手段と、
所定の演出を表示可能な演出表示手段と、
前記第一受入口に遊技球が受け入れられたときに、当該第一受入口に遊技球が受け入れられたことを検出する第一受入検出手段、
前記第一受入検出手段によって遊技球が検出されたことに基づいて抽選を行う第一抽選手段、
前記第一抽選手段による抽選または／および抽選結果の導出を保留する第一保留手段、
前記第一保留手段によって保留された順番に前記第一図柄表示手段に表示される一または複数の図柄の変動表示を行い、前記第一抽選手段による抽選結果を一つずつ導出する第一図柄表示制御手段、
前記第二受入口に遊技球が受け入れられたときに、当該第二受入口に遊技球が受け入れられたことを検出する第二受入検出手段、
前記第二受入検出手段によって遊技球が検出されたことに基づいて抽選を行う第二抽選手段、
前記第二抽選手段による抽選または／および抽選結果の導出を保留する第二保留手段、
前記第二保留手段によって保留された順番に前記第二図柄表示手段に表示される一または複数の図柄の変動表示を行い、前記第二抽選手段による抽選結果を一つずつ導出する第二図柄表示制御手段、
前記所定の演出としての特別演出遊技態様を前記演出表示手段に表示する演出表示制御手段、および
前記第一抽選手段または前記第二抽選手段による抽選に当選したことに応じて、遊技者に所定の遊技価値を付与可能となる大当たり遊技を実行する大当たり遊技実行手段、
を少なくとも有する遊技制御手段と、を備え、
前記特別演出遊技態様には、
複数ある特定条件のうちいずれかの条件の成立に応じて、前記特別演出遊技態様の導出進捗状況を示す導出進捗値が所定の達成上限に近づく態様で表示される進捗度合表示態様と、
前記導出進捗値が前記所定の達成上限に至ったときに前記進捗度合表示態様とは異なる特有の表示となる特典態様と、が含まれており、
前記演出表示制御手段は、
前記特定条件の一の条件にかかる前記受入口に遊技球が受け入れられたときに、前記導出進捗値が前記所定の達成上限に近づく態様で、前記進捗度合表示態様を表示する一方、
前記一の条件よりも成立し難い前記特定条件の他の条件にかかる前記第一図柄表示制御手段または前記第二図柄表示制御手段によって特定の変動表示を前記第一図柄表示手段または前記第二図柄表示手段において表示するときに、前記導出進捗値が前記所定の達成上限に近づく態様で、前記進捗度合表示態様を表示する
ことを特徴とする遊技機。
【請求項２】
前記遊技球の流下方向について前記第一受入口よりも上流側に設けられ、前記遊技領域を流下する複数の遊技球のうち、一部の遊技球のみを、前記排出口に向かう方向とは異なる特定の方向に受け入れる流下球特定受入手段をさらに備え、
前記第二受入口は、前記流下球特定受入手段によって前記特定の方向に受け入れた遊技球を対象として一球ずつ受け入れ可能とすることによって、前記第一受入口よりも遊技球の受け入れ頻度が少なくなるように構成されている
ことを特徴とする請求項１に記載の遊技機。
【請求項３】
前記第二保留手段は、所定の範囲内で保留可能であると共に、
前記特定条件の一の条件は、前記第二受入口に遊技球が受け入れられて前記第二受入検出手段によって検出され、且つ前記第二保留手段に保留されることであって、
前記演出表示制御手段は、前記第二保留手段に保留される毎に、前記導出進捗値を蓄積することによって前記導出進捗値が前記所定の達成上限に近づく態様で、前記進捗度合表示態様を表示する
ことを特徴とする請求項１または２に記載の遊技機。
【手続補正書】
【提出日】平成21年4月21日(2009.4.21)
【手続補正１】
【補正対象書類名】特許請求の範囲
【補正対象項目名】全文
【補正方法】変更
【補正の内容】
【特許請求の範囲】
【請求項１】
プレイヤキャラクタを画像表示装置の表示画面上に表示し、プレイヤの操作に応じて前記表示画面上に表示されているプレイヤキャラクタの行動を制御することでビデオゲームの進行を制御するビデオゲーム処理装置であって、
プレイヤキャラクタが戦闘による受けたダメージポイントを保存するダメージポイント保存手段と、
該ダメージポイント保存手段に保存されたダメージポイントに応じて特殊制御ポイントを所定の最大累積値まで加算する特殊制御ポイント加算手段と、
前記特殊制御ポイントの累積値を前記表示画面に表示する累積特殊制御ポイント表示手段と、
プレイヤの操作にもとづく特殊制御の実行指定を受け付ける特殊制御実行指定受付手段と、
該特殊制御実行指定受付手段が特殊制御の実行指定を受け付けたときに、前記特殊制御ポイントの累積値が初期値を超える値であるか否か判定し、超える値であれば、ノンプレイヤキャラクタの行動速度を非特殊制御時よりも遅くして当該ノンプレイヤキャラクタをスローモーション表示し、非特殊制御時にはプレイヤキャラクタによる対応時間の確保が不可能な程度に高速であるノンプレイヤキャラクタの行動速度が、プレイヤキャラクタによる対応時間の確保が可能な程度まで低速化される特殊制御を実行する特殊制御実行手段とを含む
ことを特徴とするビデオゲーム処理装置。
【請求項２】
プレイヤキャラクタを画像表示装置の表示画面上に表示し、プレイヤの操作に応じて前記表示画面上に表示されているプレイヤキャラクタの行動を制御することでビデオゲームの進行を制御するビデオゲーム処理装置であって、
所定の時間経過に伴って特殊制御ポイントを所定の最大累積値まで加算する特殊制御ポイント加算手段と、
前記特殊制御ポイントの累積値を前記表示画面に表示する累積特殊制御ポイント表示手段と、
プレイヤの操作にもとづく特殊制御の実行指定を受け付ける特殊制御実行指定受付手段と、
該特殊制御実行指定受付手段が特殊制御の実行指定を受け付けたときに、前記特殊制御ポイントの累積値が初期値を超える値であるか否か判定し、超える値であれば、ノンプレイヤキャラクタの行動速度を非特殊制御時よりも遅くして当該ノンプレイヤキャラクタをスローモーション表示し、非特殊制御時にはプレイヤキャラクタによる対応時間の確保が不可能な程度に高速であるノンプレイヤキャラクタの行動速度が、プレイヤキャラクタによる対応時間の確保が可能な程度まで低速化される特殊制御を実行する特殊制御実行手段とを含む
ことを特徴とするビデオゲーム処理装置。
【請求項３】
前記対応時間の確保が不可能な程度に高速であるとは、ノンプレイヤキャラクタが所定の行動を行なうタイミングを、プレイヤが視認することが不可能な程度に、ノンプレイヤキャラクタの行動速度が高速であることであり、
前記対応時間の確保が可能な程度まで低速化されるとは、ノンプレイヤキャラクタが所定の行動を行なうタイミングを、プレイヤが視認することが可能な程度まで、ノンプレイヤキャラクタの行動速度が低速化されることである、
請求項１又は２記載のビデオゲーム処理装置。
【請求項４】
前記対応時間の確保が不可能な程度に高速であるとは、プレイヤの操作に従ってプレイヤキャラクタがノンプレイヤキャラクタに対して所定のタイミングで所定の行動を取ることが不可能な程度に、ノンプレイヤキャラクタの行動速度が高速であることであり、
前記対応時間の確保が可能な程度まで低速化されるとは、プレイヤの操作に従ってプレイヤキャラクタがノンプレイヤキャラクタに対して所定のタイミングで所定の行動を取ることが可能な程度まで、ノンプレイヤキャラクタの行動速度が低速化されることである、
請求項１、２又は３のいずれかに記載のビデオゲーム処理装置。
【請求項５】
ノンプレイヤキャラクタの移動パターン、攻撃パターンを含む行動パターンがあらかじめ設定された行動パターン設定テーブルから選択された行動パターンに従って、ノンプレイヤキャラクタの行動を制御するノンプレイヤキャラクタ行動制御手段を含み、
前記行動パターン設定テーブルには、特殊制御時に有効となる特殊制御時行動パターンを含む行動パターンが設定されており、
前記ノンプレイヤキャラクタ行動制御手段は、特殊制御の実行中であるときに特殊制御時行動パターンを選択可能となり、特殊制御の実行中であるときには、あらかじめ定められた特殊行動選択条件が成立しているか否かを判定し、当該特殊行動選択条件が成立していれば特殊制御時行動パターンを選択し、特殊制御時行動パターンを選択したときは、選択した特殊制御時行動パターンに従ってノンプレイヤキャラクタの行動を制御し、
前記特殊行動選択条件は、プレイヤの操作に従ってプレイヤキャラクタが所定のタイミングで所定の行動をとることであり、
前記対応時間の確保が可能な程度とは、ノンプレイヤキャラクタが特殊制御時行動パターンに従って行動が制御されている場合に、プレイヤの操作に従ってプレイヤキャラクタが所定のタイミングで所定の行動をとることが可能である程度である、
ことを特徴とする請求項１、２、３又は４のいずれかに記載のビデオゲーム処理装置。
【手続補正書】
【提出日】平成21年4月6日(2009.4.6)
【手続補正１】
【補正対象書類名】特許請求の範囲
【補正対象項目名】全文
【補正方法】変更
【補正の内容】
【特許請求の範囲】
【請求項１】
プレイヤキャラクタを画像表示装置の表示画面上に表示し、プレイヤの操作に応じて前記表示画面上に表示されているプレイヤキャラクタの行動を制御することでビデオゲームの進行を制御させるビデオゲーム処理プログラムであって、
コンピュータに、
時間経過に伴って計時ポイントを加算する計時ポイント加算処理と、
前記計時ポイントの累積値を前記表示画面に表示する累積計時ポイント表示処理と、
プレイヤキャラクタの動作を指定する動作コマンドの指定を受付可能な動作コマンド受付処理と、
該動作コマンド受付処理にて受け付けた動作コマンドと、該動作コマンドに設定されている動作コマンド値と、該動作コマンドの受付順番とを対応付けて記憶する動作コマンド記憶処理と、
前記計時ポイントの累積値を監視し、前記計時ポイントが受け付けられている動作コマンドのうち受付順番が最も早い動作コマンドの動作コマンド値以上であるときに、当該動作コマンドを発動させる動作コマンド発動処理と、
該動作コマンド発動処理にて動作コマンドを発動したことに応じて、前記計時ポイントから発動した動作コマンドの動作コマンド値を減算する計時ポイント減算処理とを
実行させるためのビデオゲーム処理プログラム。
【手続補正書】
【提出日】平成21年8月7日(2009.8.7)
【手続補正１】
【補正対象書類名】特許請求の範囲
【補正対象項目名】全文
【補正方法】変更
【補正の内容】
【特許請求の範囲】
【請求項１】
遊技に関する制御を司る制御基板、及び該制御基板を収容する基板ケースを有する制御装置と、
遊技機本体の背面に設けられ、前記制御装置を前記基板ケースと前記遊技機本体の背面とを離間させた状態で装着し、その基板ケースと遊技機本体の背面との間に空間領域を形成する台座部材と、
前記空間領域に設けられ当該空間領域を細分化するスペーサ部材と、を備え、
前記スペーサ部材は、複数の突状部を有するスペーサ形成部材を用い、そのスペーサ形成部材を複数組み合わせて形成されていることを特徴とする遊技機。
【請求項２】
少なくとも枠状の壁部を有し、当該壁部によって囲まれる内部領域に前記突状部として前記内部領域を仕切る複数の仕切板を形成した第１スペーサ形成部材と、板状のベース板部の一側面に前記突状部として柱部材を複数点在させて立設した第２スペーサ形成部材とを、前記柱部材が前記内部領域に位置するように組み合わせて前記スペーサ部材を形成したことを特徴とする請求項１に記載の遊技機。
【請求項３】
前記仕切板と前記柱部材とが交差するようにして前記第１スペーサ形成部材と前記第２スペーサ形成部材とを組み合わせて前記スペーサ部材を形成したことを特徴とする請求項２に記載の遊技機。
【請求項４】
前記仕切板及び前記柱部材のうち一方が遊技機前後方向に延び且つ他方が遊技機前後方向と交差する方向に延びるように、前記第１スペーサ形成部材と前記第２スペーサ形成部材とを組み合わせて前記スペーサ部材を形成したことを特徴とする請求項２又は３に記載の遊技機。
【請求項５】
前記突状部としての複数の柱部材が互いに平行に延びるように前記スペーサ形成部材を形成し、前記柱部材が互い違いに並ぶようにして前記スペーサ形成部材を複数組み合わせて前記スペーサ部材を形成したことを特徴とする請求項１に記載の遊技機。
【請求項６】
前記突状部としての複数の柱部材が互いに平行に延びるように前記スペーサ形成部材を形成し、前記柱部材が遊技機前後方向に延び且つ互い違いに並ぶように前記スペーサ形成部材を複数組み合わせて前記スペーサ部材を形成したことを特徴とする請求項１又は５に記載の遊技機。
【手続補正書】
【提出日】平成21年4月28日(2009.4.28)
【手続補正１】
【補正対象書類名】特許請求の範囲
【補正対象項目名】全文
【補正方法】変更
【補正の内容】
【特許請求の範囲】
【請求項１】
複数の遊技球が打ち込まれ、当該打ち込まれた複数の遊技球が流下可能な遊技領域と、
前記遊技球の流下方向について最下流側に形成され、前記遊技領域に打ち込まれた遊技球を排出する排出口と、
前記排出口に向けて流下する遊技球の流下態様を不規則に変化させる流下態様変化手段と、
前記遊技領域を流下する複数の遊技球を対象として前記流下態様変化手段によって一球ずつ受け入れ可能な第一受入口と、
前記第一受入口よりも、前記遊技領域に打ち込まれた遊技球の受け入れ頻度が少ない第二受入口と、
所定の遊技態様を表示する第一の遊技態様表示手段と、
所定の遊技態様を表示する第二の遊技態様表示手段と、
所定の演出にかかる情報を表示する演出表示手段と、
遊技領域に向けて打ち込まれた遊技球が前記第一受入口に受け入れられたことを検出する第一受入検出手段、
前記第一受入検出手段による遊技球の検出に応じて抽選を行う第一抽選手段、
前記第一の遊技態様表示手段において所定の遊技態様で表示を行い、前記第一抽選手段による抽選結果を導出する第一の遊技態様表示制御手段、
前記第一抽選手段による抽選または／および抽選結果を、前記第一の遊技態様表示制御手段によって前記第一の遊技態様表示手段に導出することを保留する第一保留手段、
遊技領域に向けて打ち込まれた遊技球が前記第二受入口に受け入れられたことを検出する第二受入検出手段、
前記第二受入検出手段による遊技球の検出に応じて抽選を行う第二抽選手段、
前記第二の遊技態様表示手段において所定の遊技態様で表示を行い、前記第二抽選手段による抽選結果を導出する第二の遊技態様表示制御手段、
前記第二抽選手段による抽選または／および抽選結果を、前記第二の遊技態様表示制御手段によって前記第二の遊技態様表示手段に導出することを保留する第二保留手段、および
前記第一抽選手段または前記第二抽選手段による抽選において当選したことに応じて、遊技者に所定の遊技価値が付与可能となる大当たり遊技を実行する大当たり遊技実行手段、を少なくとも有する遊技制御手段と、を備え、
前記遊技制御手段は、
少なくとも前記第二受入検出手段によって遊技球が検出されたことに応じて当該検出された遊技履歴を所定の上限値まで蓄積する遊技履歴蓄積手段、
少なくとも前記遊技履歴蓄積手段によって蓄積された遊技履歴を前記演出表示手段に表示する遊技履歴表示制御手段、
並びに、前記第一の遊技態様表示制御手段によって前記第一の遊技態様表示手段に表示される遊技態様、および、前記第二の遊技態様表示制御手段によって前記第二の遊技態様表示手段に表示される遊技態様のいずれとも異なる遊技態様であって且つ演出にかかる特別演出遊技態様を、前記第一の遊技態様表示手段、前記第二の遊技態様表示手段または前記演出表示手段に表示する演出表示制御手段をさらに有しており、
前記演出表示制御手段は、前記遊技履歴蓄積手段によって前記所定の上限値まで遊技履歴が蓄積されたときに、前記特別演出遊技態様を表示するものであって、
前記遊技履歴蓄積手段は、
前記第二受入検出手段によって遊技球が検出される毎に遊技履歴を一つずつ蓄積すると共に、
抽選手段による抽選において少なくとも当選した場合には、前記所定の上限値と蓄積されている遊技履歴との差が二以上であったとしても当該差が微差であれば、受入検出手段によって検出された遊技球が１球のみであったとしても、前記所定の上限値に至る二つ以上の遊技履歴を蓄積可能である
ことを特徴とする遊技機。
【請求項２】
前記遊技球の流下方向について前記第一受入口よりも上流側に設けられ、前記遊技領域を流下する複数の遊技球のうち、一部の遊技球のみを、前記排出口に向かう方向とは異なる特定の方向に受け入れる流下球特定受入手段をさらに備えると共に、
前記第二受入口は、前記流下球特定受入手段によって前記特定の方向に受け入れた遊技球のみを対象として一球ずつ受け入れ可能とすることによって、前記第一受入口よりも遊技球の受け入れ頻度が少なくなるように構成されている
ことを特徴とする請求項１に記載の遊技機。
【請求項３】
前記第二保留手段は、前記第二抽選手段による抽選または／および抽選結果を、前記第二の遊技態様表示制御手段によって前記第二の遊技態様表示手段に導出することを所定数の範囲内で保留可能であると共に、
前記遊技履歴蓄積手段は、前記遊技履歴を、前記第二保留手段によって保留可能な所定数を超える上限値まで蓄積可能である
ことを特徴とする請求項１または２に記載の遊技機。
【手続補正書】
【提出日】平成21年4月27日(2009.4.27)
【手続補正１】
【補正対象書類名】特許請求の範囲
【補正対象項目名】全文
【補正方法】変更
【補正の内容】
【特許請求の範囲】
【請求項１】
水平静磁場方式の横長筒状ガントリおよびそれに適合するアクティブシールド型傾斜磁場コイル装置を有する磁気共鳴イメージング装置において、上記アクティブシールド型傾斜磁場コイル装置（ＧＣ）は、上記水平磁場の方向、即ちＺ軸方向と直交する面の左右方向、即ちＸ軸をまたぐように対向して配設された一対のＸ方向傾斜磁場コイル（ＸＧＣ）、上記Ｚ軸方向と直交する面の上下方向、即ちＹ軸をまたぐように対向して配設された一対のＹ方向傾斜磁場コイル（ＹＧＣ）およびＺ軸に沿って巻かれたＺ方向傾斜磁場コイル（ＺＧＣ）から構成されており、かつ上記Ｘ，Ｙ，Ｚ各方向の傾斜磁場コイル（ＸＧＣ，ＹＧＣ，ＺＧＣ）のそれぞれは横長筒状ガントリの中央部の計測空間に近い側に配設されるＸ，Ｙ，Ｚ方向主傾斜磁場コイル（ＸＧＣｍ，ＹＧＣｍ，ＺＧＣｍ）と上記Ｘ，Ｙ，Ｚそれぞれの方向の主傾斜磁場コイル（ＸＧＣｍ，ＹＧＣｍ，ＺＧＣｍ）によって生成され上記計測空間の反対側の外側に漏洩する磁場をそれぞれシールドするＸ，Ｙ，Ｚ方向シールド傾斜磁場コイル（ＸＧＣｓ，ＹＧＣｓ，ＺＧＣｓ）から構成されており、さらに上記Ｘ方向主傾斜磁場コイル（ＸＧＣｍ）は上記横長筒状ガントリ内壁に最も接近して、かつ上記Ｘ方向シールド傾斜磁場コイル（ＸＧＣｓ）は上記横長筒状ガントリ内壁から最も遠く離れて配設されかつ上記Ｙ方向傾斜磁場コイル（ＹＧＣ）およびＺ方向傾斜磁場コイル（ＺＧＣ）はそれぞれ上記Ｘ方向主傾斜磁場コイル（ＸＧＣｍ）およびＸ方向シールド傾斜磁場コイル（ＸＧＣｓ）の間に配設されていることを特徴とする磁気共鳴イメージング装置。
【請求項２】
上記Ｙ方向主傾斜磁場コイル（ＹＧＣｍ）およびＹ方向シールド傾斜磁場コイル（ＹＧＣｓ）はそれぞれ上記Ｘ方向主傾斜磁場コイル（ＸＧＣｍ）およびＸ方向シールド傾斜磁場コイル（ＸＧＣｓ）に隣接して配設されかつ上記Ｚ方向主傾斜磁場コイル（ＺＧＣｍ）およびＺ方向シールド傾斜磁場コイル（ＺＧＣｓ）は上記Ｙ方向傾斜磁場コイル（ＹＧＣｍ）とＹ方向シールド傾斜磁場コイル（ＹＧＣｓ）との間に配設されていることを特徴とする請求項１に記載の磁気共鳴イメージング装置。
【請求項３】
上記Ｚ方向主傾斜磁場コイル（ＺＧＣｍ）およびＺ方向シールド傾斜磁場コイル（ＺＧＣｓ）はそれぞれ上記Ｘ方向主傾斜磁場コイル（ＸＧＣｍ）およびＸ方向シールド傾斜磁場コイル（ＸＧＣｓ）に隣接して配設されかつ上記Ｙ方向主傾斜磁場コイル（ＹＧＣｍ）およびＹ方向シールド傾斜磁場コイル（ＹＧＣｓ）は上記Ｚ方向傾斜磁場コイル（ＺＧＣｍ）とＺ方向シールド傾斜磁場コイル（ＺＧＣｓ）との間に配設されていることを特徴とする請求項１に記載の磁気共鳴イメージング装置。
【請求項４】
上記Ｚ方向主傾斜磁場コイル（ＺＧＣｍ）およびＹ方向シールド傾斜磁場コイル（ＹＧＣｓ）はそれぞれ上記Ｘ方向主傾斜磁場コイル（ＸＧＣｍ）およびＸ方向シールド傾斜磁場コイル（ＸＧＣｓ）に隣接して配設されかつ上記Ｙ方向主傾斜磁場コイル（ＹＧＣｍ）およびＺ方向シールド傾斜磁場コイル（ＺＧＣｓ）は上記Ｚ方向主傾斜磁場コイル（ＺＧＣｍ）とＹ方向シールド傾斜磁場コイル（ＹＧＣｓ）との間に配設されていることを特徴とする請求項１に記載の磁気共鳴イメージング装置。
【請求項５】
上記横長筒状ガントリのＸ方向内壁は略垂直な面に形成されていることを特徴とする請求項１乃至４のいずれか一項に記載の磁気共鳴イメージング装置。
【請求項６】
上記横長筒状ガントリのＸ方向の巾寸法は７０ｃｍより広いことを特徴とする請求項１乃至５のいずれか一項に記載の磁気共鳴イメージング装置。
【請求項７】
上記横長筒状ガントリの計測空間に被検者を載置して搬入するテーブルはＸ方向にも移動可能に構成されていることを特徴とする請求項１乃至６のいずれか一項に記載の磁気共鳴イメージング装置。
【請求項８】
第１の方向が静磁場方向となる計測空間内に主傾斜磁場を発生する主傾斜磁場コイルと、前記主傾斜磁場コイルによって前記計測空間と反対側に漏洩する磁場をキャンセルするためのシールド傾斜磁場コイルと、を有して成り、筒状に形成された傾斜磁場コイル装置であって、
前記主傾斜磁場コイルは、前記第１の方向に傾斜磁場を発生する第１の主傾斜磁場コイルと、第１の方向に垂直な第２の方向に主傾斜磁場を発生する第２の主傾斜磁場コイルと、前記第１の方向と前記第２の方向とに垂直な第３の方向に主傾斜磁場を発生する第３の主傾斜磁場コイルと、を有して成り、
前記シールド傾斜磁場コイルは、前記第１の主傾斜磁場コイルによって前記計測空間と反対側に漏洩する磁場をキャンセルするための第１のシールド傾斜磁場コイルと、前記第２の主傾斜磁場コイルによって前記計測空間と反対側に漏洩する磁場をキャンセルするための第２のシールド傾斜磁場コイルと、前記第３の主傾斜磁場コイルによって前記計測空間と反対側に漏洩する磁場をキャンセルするための第３のシールド傾斜磁場コイルと、を有して成り、
前記第２の主傾斜磁場コイルが前記計測空間に最も近い内側に配置され、前記第２のシールド傾斜磁場コイルが前記計測空間から最も遠い外側に配置されていることを特徴とする傾斜磁場コイル装置。
【請求項９】
請求項８記載の傾斜磁場コイル装置において、
前記主傾斜磁場コイルは、前記第２の方向の長さが前記第３の方向の長さより長いことを特徴とする傾斜磁場コイル装置。
【請求項１０】
請求項８又は９記載の傾斜磁場コイル装置を有することを特徴とする磁気共鳴イメージング装置。
【請求項１１】
請求項１０記載の磁気共鳴イメージング装置において、
前記計測空間に被検者を載置して搬入するテーブルを有して、該テーブルは前記第２の方向にも移動可能に構成されていることを特徴とする磁気共鳴イメージング装置。
【手続補正書】
【提出日】平成19年7月16日(2007.7.16)
【手続補正１】
【補正対象書類名】明細書
【補正対象項目名】発明の名称
【補正方法】変更
【補正の内容】
【発明の名称】表示装置
【手続補正２】
【補正対象書類名】明細書
【補正対象項目名】特許請求の範囲
【補正方法】変更
【補正の内容】
【特許請求の範囲】
【請求項１】
基板上にマトリクス状に配置され、薄膜トランジスタを有する複数の画素部と、
前記基板上にマトリクス状に配置され、下部電極と、上部電極と、前記下部電極と前記上部電極との間に設けられた光電変換層と、を有する複数のセンサ部と、
を有する表示装置であって、
前記上部電極上には、絶縁膜を介して画素電極が設けられ、
前記画素電極は、前記画素部が有する前記薄膜トランジスタのソース領域またはドレイン領域の一方と電気的に接続され、
前記上部電極と、前記画素電極は、前記上部電極と前記画素電極との間に備えられた前記絶縁膜を介して一部が重なることを特徴とする表示装置。
【請求項２】
請求項１に記載の前記薄膜トランジスタは、トップゲート型の薄膜トランジスタであることを特徴とする表示装置。
【請求項３】
請求項１に記載の前記薄膜トランジスタは、ボトムゲート型の薄膜トランジスタであることを特徴とする表示装置。
【請求項４】
請求項１乃至請求項３のいずれか一に記載の前記基板と前記薄膜トランジスタの間には、遮光膜が設けられていることを特徴とする表示装置。
【請求項５】
基板上にマトリクス状に配置され、第１の薄膜トランジスタを有する複数の画素部と、
前記基板上にマトリクス状に配置され、第２の薄膜トランジスタと、前記第２の薄膜トランジスタに電気的に接続した下部電極と、上部電極と、前記下部電極と前記上部電極との間に設けられた光電変換層と、を有する複数のセンサ部と、
を有する表示装置であって、
前記上部電極上には、絶縁膜を介して画素電極が設けられ、
前記画素電極は、前記画素部が有する前記第１の薄膜トランジスタのソース領域またはドレイン領域の一方と電気的に接続され、
前記上部電極と、前記画素電極は、前記上部電極と前記画素電極との間に備えられた前記絶縁膜を介して一部が重なることを特徴とする表示装置。
【請求項６】
請求項５に記載の前記第１の薄膜トランジスタ及び前記第２の薄膜トランジスタは、トップゲート型の薄膜トランジスタであることを特徴とする表示装置。
【請求項７】
請求項５に記載の前記第１の薄膜トランジスタ及び前記第２の薄膜トランジスタは、ボトムゲート型の薄膜トランジスタであることを特徴とする表示装置。
【請求項８】
請求項５乃至請求項７のいずれか一に記載の前記基板と前記第１の薄膜トランジスタ及び前記第２の薄膜トランジスタとの間には、遮光膜が設けられていることを特徴とする表示装置。
【請求項９】
請求項１乃至請求項８のいずれか一に記載の前記上部電極は、透光性電極であることを特徴とする表示装置。
【請求項１０】
請求項１乃至請求項９のいずれか一に記載の前記画素電極は、反射領域と透光領域とを有し、前記上部電極の一部は前記透光領域と重なっていることを特徴とする表示装置。
【手続補正書】
【提出日】平成21年6月2日(2009.6.2)
【手続補正１】
【補正対象書類名】特許請求の範囲
【補正対象項目名】全文
【補正方法】変更
【補正の内容】
【特許請求の範囲】
【請求項１】
熱可塑性樹脂１００重量部に対して、炭素原子数１０〜３３の高級脂肪族モノカルボン酸および／または炭素原子数３４〜６５の高級脂肪族モノカルボン酸エステル化合物を０．０１〜１０．０重量部含有せしめた熱可塑性樹脂組成物からなることを特徴とする防汚性モノフィラメント。
【請求項２】
前記炭素原子数３４〜６５の高級脂肪族モノカルボン酸エステル化合物が、天然性植物由来のワックスであることを特徴とする請求項１に記載の防汚性モノフィラメント。
【請求項３】
前記炭素原子数１０〜３３の高級脂肪族モノカルボン酸および／または炭素原子数３４〜６５の高級脂肪族モノカルボン酸エステル化合物が、モノフィラメントの軸方向に垂直な断面において１０μｍ以下の分散径で分散していることを特徴とする請求項１または２に記載の防汚性モノフィラメント。
【請求項４】
前記熱可塑性樹脂が、ポリエステル、ポリフェニレンサルファイドおよびポリアミドから選ばれた少なくとも１種からなることを特徴とする請求項１〜３のいずれか１項に記載の防汚性モノフィラメント。
【請求項５】
前記ポリエステルがポリエチレンテレフタレートであることを特徴とする請求項４に記載の防汚性モノフィラメント。
【請求項６】
モノフィラメント軸方向に垂直な断面が円もしくは扁平であることを特徴とする請求項１〜５のいずれか１項に記載の防汚性モノフィラメント。
【請求項７】
請求項１〜６のいずれか１項に記載の防汚性モノフィラメントを緯糸および／または経糸の少なくとも一部に用いたことを特徴とする工業用織物。
【請求項８】
抄紙機用織物、フィルター用織物もしくはサーマルボンド法不織布の熱接着工程用ネットコンベアの織物、熱処理炉内搬送ベルト用織物であることを特徴とする請求項７記載の工業用織物。
【請求項９】
前記抄紙機用織物が抄紙ワイヤーまたは抄紙ドライヤーカンバスであることを特徴とする請求項８に記載の工業用織物。
【請求項１０】
前記抄紙ワイヤーを構成する前記防汚性モノフィラメントの、次に示す方法で測定した平均直径が０．０５〜０．５０ｍｍで、この平均直径に対する線径斑率が５％以下の円形断面モノフィラメントであることを特徴とする請求項９項に記載の工業用織物。
［モノフィラメントの直径（線径斑率）の測定方法］
（１）レーザー外形測定器（アンリツ（株）製ＳＬＢ  ＤＩＡ  ＭＥＡＳＵＲＩＮＧ  ＳＹＳＴＥＭ  ＫＬ１５１Ａまたは他社同等品）を使用してモノフィラメントの長さ方向に、３０カ所の直径（ｍｍ）を小数点以下３桁まで測定する。
（２）測定値３０点の平均直径（Ｘ）を算出する（小数点以下４桁目を四捨五入し小数点以下３桁まで求める）。
（３）線径斑率は、各測定値の最大直径値（Ａ）と最小直径値（Ｂ）の差を線径斑とし、測定値３０点の平均直径（Ｘ）から下式によって求める。
｛（Ａ）―（Ｂ）｝／（Ｘ）×１００＝線径斑率（％）
【手続補正２】
【補正対象書類名】明細書
【補正対象項目名】００１５
【補正方法】変更
【補正の内容】
【００１５】
本発明の工業用織物は、中でも抄紙ワイヤーまたは抄紙ドライヤーカンバスであることが望ましく、特に抄紙ワイヤーの場合には、次に示す方法で測定した平均直径が０．０５〜０．５０ｍｍで、この平均直径に対する線径斑率が５％以下の円形断面モノフィラメントからなることが望ましい。
［モノフィラメントの直径（線径斑率）の測定方法］
（１）レーザー外形測定器（アンリツ（株）製ＳＬＢ  ＤＩＡ  ＭＥＡＳＵＲＩＮＧ  ＳＹＳＴＥＭ  ＫＬ１５１Ａまたは他社同等品）を使用してモノフィラメントの長さ方向に、３０カ所の直径（ｍｍ）を小数点以下３桁まで測定する。
（２）測定値３０点の平均直径（Ｘ）を算出する（小数点以下４桁目を四捨五入し小数点以下３桁まで求める）。
（３）線径斑率は、各測定値の最大直径値（Ａ）と最小直径値（Ｂ）の差を線径斑とし、測定値３０点の平均直径（Ｘ）から下式によって求める。
｛（Ａ）―（Ｂ）｝／（Ｘ）×１００＝線径斑率（％）
【手続補正３】
【補正対象書類名】明細書
【補正対象項目名】００３７
【補正方法】変更
【補正の内容】
【００３７】
一方、炭素原子数が１０未満の高級脂肪族モノカルボン酸では成形表面へのブリードアウトが激しく、また炭素原子数が３３を越える高級脂肪族モノカルボン酸を使用する場合はガムピッチ防汚性が得られない。
【手続補正４】
【補正対象書類名】明細書
【補正対象項目名】００６１
【補正方法】変更
【補正の内容】
【００６１】
本発明の防汚性モノフィラメントを抄紙ワイヤーの構成素材として用いる場合には、平均直径に対する線径斑率が５％以下の円形断面を有するモノフィラメントであることが好ましい。線径斑率が３％以下であると更に好ましい。抄紙ワイヤーは、パルプを主成分とする分散液からパルプを漉き揚げ、水を吸引して紙の基本的な表面状態や均一性が形成される工程で使用されるものであるために、モノフィラメントの線径均一性が最も必要とされる用途である。モノフィラメントの平均直径が０．０５〜０．５０ｍｍで、上記線径斑率が５％以下であると、表面と織り構造が均一な抄紙ワイヤーとなり、漉き揚げた高含水パルプからの搾水を均一に行うことができるため、厚みが均一で表面特性に優れた紙の製造が可能になるという好ましい効果が得られるのである。
【手続補正書】
【提出日】平成21年6月22日(2009.6.22)
【手続補正１】
【補正対象書類名】特許請求の範囲
【補正対象項目名】全文
【補正方法】変更
【補正の内容】
【特許請求の範囲】
【請求項１】
リング式撚糸機のスピンドル（１１）の中心軸に対し４５度前後の角度で、巻き取りボビン（１４）の長さのほぼ中心に、リング（９）を固定し、トラベラー（８）を装着し、スピンドル（１１）を強制駆動することにより、撚糸しながら、送り出された撚り糸が巻き取りボビン（１４）に巻き取られるように構成された撚糸巻取り装置。
【請求項２】
スピンドル（１１）に巻き取りボビン（１４）を装着し、フライヤー（１６）の対角線が巻き取りボビン（１４）の長さの中心にし、スピンドル（１１）の中心軸に対し、４５度に装着し、スピンドル（１１）を強制駆動することにより、送り出された撚り糸がボビン（１４）に巻き取られるように構成された撚糸巻取り装置。
【請求項３】
スピンドル（１１）に巻き取りボビン（１４）を装着し、フライヤー（１６）の対角線が巻き取りボビン（１４）の長さの中心にし、スピンドル（１１）の中心軸に対し、４５度に装着し、スピンドル（１１）に付加を掛け、フライヤー（１６）を強制駆動することにより、送り出された撚り糸の張力により、スピンドル（１１）及び巻き取りボビン（１４）は間接駆動しながら、送り出された撚り糸が巻き取りボビン（１４）に巻き取られるように構成された撚糸巻取り装置。
【手続補正２】
【補正対象書類名】明細書
【補正対象項目名】０００２
【補正方法】変更
【補正の内容】
【０００２】
従来の撚糸技術は、リング式撚糸機では、スピンドに装着された、巻取りボビンを回転しリングにトラベラーを付け巻き取っていたこの状態では、一定の位置しか、巻き取れない為、リングを昇降する、必要があった。アップ式撚糸機の場合では、撚り合わせる糸を、あらかじめ、撚糸用ボビンに、巻き取る必要があり、別途巻取機を必要とし、又撚糸した糸を巻き取るにも、巻き取り装置を必要とした。フライヤー式撚糸機の場合は  フライヤーを昇降させる必要があった。どの撚糸巻取り装置も複雑な機構を要した。
【特許文献１】特開２００３−４９３３３公報
【手続補正３】
【補正対象書類名】明細書
【補正対象項目名】０００６
【補正方法】変更
【補正の内容】
【０００６】
［実施例イ］
図１に示すように、スピンドル１１の中心軸に対し、４５度の角度で巻き取りボビン１４の長さの中心にリング９を装着し、トラベラー８を付け、スピンドル１１を強制駆動した、送りだされた撚り糸は、随時巻き取りボビン１４の、上下に巻き取られた。１は供給原糸、３はガイド、４，５は送り出しローラー、６，７はガイドである。１０はリングホルダー、１２はスピンドルホルダー、１３は駆動ベルトである。
［実施例ロ］
図２に示すように、スピンドル１１に、巻き取りボビン１４を装着し、フライヤー１６対角線が巻き取りボビン１４の長さの中心にし、スピンドル１１の中心軸に対し、４５度に装着し、スピンドル１１を強制駆動した、送り出された撚り糸は、随時ボビン１４に巻き取られ、上下に巻き取られた。１は供給原糸、２，３はガイド、４，５は送り出しローラー、６はガイド、１５はフライヤーホルダーである。１２はスピンドルホルダー、１３は駆動ベルトである。
［実施例ハ］
図３に示すように、スピンドル１１に、巻き取りボビン１４を装着し、フライヤー１６の対角線が巻き取りボビン１４の中心にし、スピンドル１１の中心軸に対し、４５度に装着し、スピンドル１１に付加を掛け、フライヤー１６を強制駆動した、送り出された撚り糸の張力により、スピンドル１１及び巻き取りボビン１４は間接駆動しながら、巻き取りボビン１４に随時、上下しながら巻き取られた。１は供給原糸、２，３はガイド、４，５は送り出しローラー、６，７はガイド、１３は駆動ベルト、１５はフライヤーホルダーである。１２はスピンドルホルダー、１７は付加用ブレーキである。この実施例は撚糸する糸が太い時有効である。
【手続補正書】
【提出日】平成21年4月20日(2009.4.20)
【手続補正１】
【補正対象書類名】特許請求の範囲
【補正対象項目名】全文
【補正方法】変更
【補正の内容】
【特許請求の範囲】
【請求項１】
生成温度が相異なる複数材料の気体粒子を生成するための複数の気体粒子生成部と、
前記複数の気体粒子生成部で生成された複数材料の気体粒子から基材上に膜を成膜する成膜部と、
前記複数の気体粒子生成部の間に設けられ、冷却されている仕切り部材と、
を備えている、成膜装置。
【請求項２】
請求項１記載の成膜装置において、
前記仕切り部材は、冷媒が流れる冷却部を有している、成膜装置。
【請求項３】
請求項２記載の成膜装置において、
前記複数材料のうちの少なくとも１つは、水分と反応する成分を含んでおり、
前記冷媒は、非水冷媒である、成膜装置。
【請求項４】
請求項１〜３のいずれかに記載の成膜装置において、
前記膜は、蒸着法で形成される固体電解質膜である、成膜装置。
【請求項５】
請求項４記載の成膜装置において、
前記固体電解質膜は、リチウム二次電池の一部として用いられるものである、成膜装置。
【請求項６】
請求項１〜５のいずれかに記載の成膜装置において、
前記複数の気体粒子生成部の周囲に設けられ、冷却されている防着部材をさらに備えている、成膜装置。
【請求項７】
請求項１〜６のいずれかに記載の成膜装置を用いて基材上に成膜する成膜方法。
【手続補正書】
【提出日】平成21年4月20日(2009.4.20)
【手続補正１】
【補正対象書類名】特許請求の範囲
【補正対象項目名】全文
【補正方法】変更
【補正の内容】
【特許請求の範囲】
【請求項１】
リチウムまたはリチウム合金の気体粒子を生成する気体粒子生成部と、
前記気体粒子生成部で生成されたリチウムまたはリチウム合金の気体粒子から基材上にリチウム金属またはリチウム合金の膜を成膜する成膜部と、
前記気体粒子生成部に、リチウム金属またはリチウム合金のワイヤを供給するための供給部と、
少なくとも表面部が高分子樹脂を主成分とする材料によって構成され、前記供給部から前記気体粒子生成部まで前記ワイヤを送るためのロール部材と、
を備えている、成膜装置。
【請求項２】
請求項１記載の成膜装置において、
前記ロール部材の少なくともフランジ部の全体が、前記高分子樹脂を主成分とする材料によって構成されている、成膜装置。
【請求項３】
請求項１または２記載の成膜装置において、
前記高分子樹脂は、ポリプロピレン，ポリエチレンおよびポリエチレンテレフタレートから選ばれる少なくとも１つの材料を主成分とする材料によって構成されている、成膜装置。
【請求項４】
請求項１〜３のいずれかに記載の成膜装置において、
前記高分子樹脂を主成分とする材料は、無機フィラーを含有している、成膜装置。
【請求項５】
請求項１〜４のいずれかに記載の成膜装置において、
前記成膜部は、シート状の基材を連続的に送る機構を有している、成膜装置。
【請求項６】
請求項１〜５のいずれかに記載の成膜装置を用いて基材上に成膜する成膜方法。